(57)【要約】【課題】媒体上における領域の有効活用が図られた情報記録媒体および情報記憶装置を提供する。【解決手段】情報記録媒体１１０において、基板Ｓと、基板Ｓ上で周回状に並び互いに所定の第１の周回角度λ１ずつの角度間隔を空けた、磁気的に情報が記録される複数の第１の記録ドット１１１と、第１の記録ドットの周回に沿ってこの周回の内側あるいは外側で周回状に並び、互いに、第１の周回角度λ１とは異なる第２の周回角度λ２ずつの角度間隔を空けた、磁気的に情報が記録される複数の第２の記録ドット１１２と、第１の記録ドットの周回と第２の記録ドットの周回との間に挟まれてそれらの周回に沿って周回状に並び、互いの角度間隔が、第１の記録ドットおよび第２の記録ドットの一方における角度間隔と同じ角度間隔となっている、読取専用の情報を表したビット列１１５とを備える。【選択図】        図８
2009223962.tif 000002
【特許請求の範囲】
【請求項１】
基板と、
前記基板上で周回状に並び互いに所定の周回角度ずつの角度間隔を空けた、磁気的に情報が記録される複数の第１の記録ドットと、
前記第１の記録ドットの周回に沿って該周回の内側あるいは外側で周回状に並び、互いに、前記周回角度とは異なる周回角度ずつの角度間隔を空けた、磁気的に情報が記録される複数の第２の記録ドットと、
前記第１の記録ドットの周回と前記第２の記録ドットの周回との間に挟まれてそれらの周回に沿って周回状にビットが並び、該ビットどうしの角度間隔が、該第１の記録ドットおよび該第２の記録ドットの一方における角度間隔と同じ角度間隔となっている、読取専用の情報を表したビット列とを備えたことを特徴とする情報記録媒体。
【請求項２】
前記第１の記録ドットの配列の周回の途上に、該周回に沿う方向における該第１の記録ドットの角度間隔とは所定の整数比を有する角度間隔で記録された第１の磁気パターンと、
前記第２の記録ドットの配列の周回の途上に、該周回に沿う方向における該第２の記録ドットの角度間隔とは前記所定の整数比を有する角度間隔で記録された第２の磁気パターンとを更に備えたことを特徴とする請求項１記載の情報記録媒体。
【請求項３】
前記ビット列が磁性材料と非磁性材料の配列パターンで構成され、該磁性材料であるか該非磁性材料であるかによってビット値が表現されたものであることを特徴とする請求項１または２記載の情報記録媒体。
【請求項４】
前記ビット列の各ビットが前記基板の周回方向の位置に配された目盛りを表したものであることを特徴とする請求項１から３いずれか１項記載の情報記録媒体。
【請求項５】
前記ビット列が前記第１の記録ドットの周回軌道およびまたは前記第２の記録ドットの周回軌道の基準となる軌道を表したものであることを特徴とする請求項１から４いずれか１項記載の情報記録媒体。
【請求項６】
基板と、
前記基板上で周回状に並び互いに所定の周回角度ずつの角度間隔を空けた、磁気的に情報が記録される複数の第１の記録ドットと、
前記第１の記録ドットの周回に沿って周回状に並び、互いに、前記周回角度とは異なる周回角度ずつの角度間隔を空けた、磁気的に情報が記録される複数の第２の記録ドットと、
前記第１の記録ドットの周回と前記第２の記録ドットの周回との間に挟まれてそれらの周回に沿って所定の幅を有して周回状に並び、互いの角度間隔が、該第１の記録ドットおよび該第２の記録ドットの一方における角度間隔と同じ角度間隔となっている、読取専用の情報を表したビット列とを備えた情報記憶媒体；
前記第１の記録ドット、前記第２の記録ドット、および前記ビット列それぞれの並びに沿って相対的に移動しながら、該第１の記録ドットおよび該第２の記録ドットに記録された情報と該ビット列が表した情報とを再生する再生ヘッド；および
前記第１の記録ドットおよび前記第２の記録ドットそれぞれの並びに沿って相対的に、前記再生ヘッドの移動経路とは前記所定幅以上の距離を置いた移動経路を移動しながら、該第１の記録ドットおよび該第２の記録ドットに情報を記録する記録ヘッド；
を備えたことを特徴とする情報記憶装置。
【発明の詳細な説明】
【技術分野】
【０００１】
本発明は、情報記録媒体およびこの情報記録媒体を備えた情報記憶装置に関する。
【背景技術】
【０００２】
情報記憶装置に搭載される情報記録媒体の記録密度を向上させる技術として、パターンドメディア方式の磁気ディスクが近年注目されている。パターンドメディア方式の磁気ディスクは、情報の最小単位を記憶する、磁性体からなるドットがディスク上に規則的な配列で並んだ構造を有している。
【０００３】
図１は、パターンドメディア方式の磁気ディスクの構造を模式的に示す斜視図である。図１には、円板状の磁気ディスクから切り出された一部が示されている。
【０００４】
図１に示す磁気ディスクＤは、基板Ｓ上に複数の記録ドットＱが規則的な配列で並べられた構造を有しており、記録ドットＱのそれぞれには１ビット相当の情報が磁気的に記録される。記録ドットは円板の中心の周りに周回状に並んでおり、記録ドットの列はトラックＴを形成する。このようなパターンドメディア方式の磁気ディスクは、一般にナノインプリント・リソグラフィと呼ばれる公知の製造プロセスによって製造されるが、本発明は製造プロセスに直接係るものではないため、製造プロセスについては説明を省略する。
【０００５】
パターンドメディア方式に限らず一般的な磁気ディスクを搭載した磁気ディスク装置は、磁気ディスク上のサーボパターンを用いて磁気ヘッドを位置決めすることによって目的とする情報の記録再生を行っている。磁気ディスクのトラックには、サーボパターンが配置されたサーボ領域とデータを記録するデータ領域とがトラックに沿って交互に配置されており、回転する磁気ディスクのトラックに沿って相対移動する磁気ヘッドからは、（１回転当たりのサーボ領域の数×磁気ディスクの回転数）で表されるサーボサンプリング周波数でサーボパターンが読み出され磁気ヘッドの位置情報が得られる。この位置情報に基づいて離散時間領域でのサーボ制御が行われ磁気ヘッドが目標とするトラックに追従する。
【０００６】
図２は、磁気ディスクにおける各領域の一般的な配置を示す図である。図２のパート（Ａ）には、磁気ディスク９０の各領域が磁気ヘッドとともに示されており、パート（Ｂ）には、磁気ディスク９０の一部領域Ｒが直線状に展開され拡大して示されている。
【０００７】
磁気ディスク９０上の領域は半径方向にゾーン０からゾーンｉまで複数のゾーンに区分されて使用されている。１つのゾーン内では記録周波数が一定のため１ビット当たりの記録領域の長さが内周から外周に向かって徐々に長くなるが、１ビット当たりの記録領域の長さがすべてのゾーンに亘って一定の範囲に収まるように、外周側のゾーンほど記録周波数が高い構造となっている（ゾーンＣＡＶ方式）。サーボ領域とこのサーボ領域に続くデータ領域とでセクタが構成される。なお、図２のパート（Ａ）に示すように、磁気ヘッド９１はアーム９２の先端に取り付けられており、サーボ領域は、厳密には磁気ヘッドがアームの回転に伴い移動する軌跡９３に沿って円弧状に配置されている。
【０００８】
パターンドメディア方式に対し、従来広く用いられている連続媒体方式の磁気ディスクでは、一様に連続して広がった磁性膜にサーボ領域およびデータ領域が設けられている。この一方、パターンドメディア方式の磁気ディスクでは、サーボ領域に、サーボ情報に応じた磁性域／非磁性域のパターンが製造プロセスによって形成されており、サーボ領域全体が均一に磁化された場合に、サーボ情報を表す磁気パターンとなる。また、データ領域には微小な記録ドットが離散的に配置される。１つの記録ドットが情報の１ビットに相当し、磁化方向によってビットの値が表される。パターンドメディア方式の磁気ディスクでは、記録ドットと記録ドットとの間には情報が記録できないため、情報の記録は磁気ヘッドを記録ドット上に正確に位置決めした上で行う必要がある。この位置決めには、記録ヘッドを磁気ディスクの半径方向で位置決めすることと、記録ヘッドに信号を供給するタイミングおよび記録ヘッドから信号を読み出すタイミングを記録ドットの通過タイミングに同期させることとが含まれる。
【０００９】
図３は、パターンドメディア方式の磁気ディスクの記録ドットとライトクロックとの関係を説明する図である。
【００１０】
図３に示すように、パターンドメディア方式の磁気ディスクに情報を記録する場合には、磁気ヘッド９５が記録ドットＱを通過するタイミングに同期したライトクロックを生成し、このライトクロックに同期させて書き込みデータを磁気ヘッド９５に供給することが必要となる。ここでの同期には、周期の一致と位相の一致とがある。例えば、図３に示すライトクロックＣ１およびライトクロックＣ２の周期はともに、磁気ヘッド９５が記録ドットＱを通過する周期と一致しているが、位相は互いにずれている。適切なライトクロックＣ１のタイミングに基づいて磁気ヘッド９５に信号が供給される場合には情報が記録ドットＱに記録されるが、不適切なライトクロックＣ２タイミングに基づいて信号が供給される場合には情報が正常に記録されない。
【００１１】
例えば特許文献１には、ライトクロックを記録ドットの通過タイミングに同期させるため、磁気ディスクにタイミングの基準となるライトプリアンブルを設ける技術が提案されている。
【００１２】
図４は、ライトプリアンブルが設けられたパターンドメディア方式の磁気ディスクの一部を示す図であり、図５は、図４の磁気ディスクを備えたハードディスク装置（ＨＤＤ）のブロック図である。図５には主としてライトクロックの生成に関する構成が示されている。
【００１３】
図４に示す磁気ディスク９１０は、サーボパターン９１２、磁性体のパターンからなるライトプリアンブル９１３がデータ領域に隣接して設けられている。なお、サーボについては、詳細な形状は省略し、その配置領域を示すに留める。ＨＤＤ９００において回転する磁気ディスク９１０のトラックに沿って相対移動するヘッドからリードアンプを介して読み出された信号は、ＰＬＬ回路９５０とゲート生成回路９４４に供給される。ゲート生成回路９４４は、プリアンブルの信号が読み出された期間を表すゲートタイミング信号を生成する。ＰＬＬ回路９５０には、サンプルホルダ回路９５２が備えられており、プリアンブルの期間ではリードアンプ９４１からの信号と生成するライトクロックとの比較結果をサンプルする一方、プリアンブルに続くデータ領域の期間では比較結果をホールドする。これによって、プリアンブルの信号に同期したライトクロックが生成され、ライトクロックに応じて記録ドットに対する情報の書き込みが行われる。
【特許文献１】特開２００３−１５７５０７号公報
【発明の開示】
【発明が解決しようとする課題】
【００１４】
ところで、磁気ディスク装置では、磁気ヘッドにリードヘッドとライトヘッドが離れて設けられた構成が一般的になっている。リードヘッドとライトヘッドとは互いに異なるトラック上を通過する。
【００１５】
図６は、図４に示す磁気ディスクの一部をリードヘッドおよびライトヘッドとともに示す図である。図６には、磁気ディスクのうち、Ｎ番目のゾーンとＮ＋１番目のゾーンの一部が示されている。
【００１６】
例えば図６に示すように、ライトヘッド９３２がＮ＋１番目のゾーンにあり、リードヘッド９３１が隣のＮ番目のゾーンにある状態では、リードヘッドで読み出された信号に同期したタイミングで、ライトヘッド９３２によって記録ドット９１５に情報を記録しようとしても、記録ドット９１５には情報が適切に記録されない。このように、記録ドットの配列規則が互いに異なる２つのゾーンの境付近には、ライトヘッドによる記録が不能であり利用できない領域がある。
【００１７】
上記事情に鑑み、本明細書に記載する１つまたは複数の実施形態は、媒体上における領域の有効活用が図られた情報記録媒体および情報記憶装置を提供する。
【課題を解決するための手段】
【００１８】
上記目的を達成する情報記録媒体の基本形態は、
基板と、
前記基板上で周回状に並び互いに所定の周回角度ずつの角度間隔を空けた、磁気的に情報が記録される複数の第１の記録ドットと、
前記第１の記録ドットの周回に沿って該周回の内側あるいは外側で周回状に並び、互いに、前記周回角度とは異なる周回角度ずつの角度間隔を空けた、磁気的に情報が記録される複数の第２の記録ドットと、
前記第１の記録ドットの周回と前記第２の記録ドットの周回との間に挟まれてそれらの周回に沿って周回状に並び、互いの角度間隔が、該第１の記録ドットおよび該第２の記録ドットの一方における角度間隔と同じ角度間隔となっている、読取専用の情報を表したビット列とを備えている。
【００１９】
この基本形態によれば、再生ヘッドと記録ヘッドとが離れて配置された記憶装置でこの情報記録媒体を記録および再生する場合、第１の記録ドットの周回と第２の記録ドットの周回との間の領域は、記録ヘッドによる記録ができないが、読取専用の情報を表したビット列を配置することで媒体上の領域が有効活用される。
【００２０】
上記基本形態に対し、「前記第１の記録ドットの配列の周回の途上に、該周回に沿う方向における該第１の記録ドットの角度間隔とは所定の整数比を有する角度間隔で記録された第１の磁気パターンと、
前記第２の記録ドットの配列の周回の途上に、該周回に沿う方向における該第２の記録ドットの角度間隔とは前記所定の整数比を有する角度間隔で記録された第２の磁気パターンとを更に備えた」という応用形態は好適である。
【００２１】
記録ドットの配列の周回の途上に配置された磁気パターンから読み出した信号に同期したタイミングで記録ドットに書き込みを行う形態が知られているが、この好適な応用形態によれば、磁気パターンから読み出した信号に同期したタイミングでは書き込みができない領域に、読取専用の情報を表したビット列を配置することで媒体上の領域が有効に活用される。
【００２２】
上記基本形態に対し、「前記ビット列が磁性材料と非磁性材料の配列パターンで構成され、該磁性材料であるか該非磁性材料であるかによってビット値が表現されたものである」という応用形態は好適である。
【００２３】
この好適な応用形態によれば、情報記録媒体の使用中にビット列が誤って逆方向に磁化されても、後で均一に磁化し直すことにより情報の回復が可能となる。
【００２４】
上記基本形態に対し、「前記ビット列の各ビットが前記基板の周回方向の位置に配した目盛りを表したものである」という応用形態は好適である。
【００２５】
この好適な応用形態によれば、ビット列から情報を読み出すことによって、情報記録媒体を回転させた場合の回転ムラを検知することができ、第１の記録ドットと第２の記録ドットとの間の領域が上記ビット列によって有効に活用される。
【００２６】
上記基本形態に対し、「前記ビット列が前記第１の記録ドットの周回軌道およびまたは前記第２の記録ドットの周回軌道の基準となる軌道を表したものである」という応用形態は好適である。
【００２７】
この好適な応用形態によれば、情報記録媒体を回転させた場合における各記録ドットの周回の径方向における偏差を検知することができ、第１の記録ドットと第２の記録ドットとの間の領域が上記ビット列によって有効に活用される。
【００２８】
上記基本形態に対し、「前記ビット列がこの情報記憶媒体の製造条件を表したものである」という応用形態は好適である。
【００２９】
この好適な応用形態によれば、第１の記録ドットと第２の記録ドットとの間の領域に、情報記録媒体の製造条件を表したビット列を配置して有効に活用することができる。
【００３０】
上記基本形態に対し、「この情報記憶媒体は情報が暗号化されて記憶されるものであり、
前記ビット列がこの情報記憶媒体に記憶される情報の暗号鍵情報を表したものである」という応用形態は好適である。
【００３１】
この好適な応用形態によれば、第１の記録ドットと第２の記録ドットとの間の領域に、暗号鍵情報を表したビット列を配置して有効に活用することができる。
【００３２】
また、上記目的を達成する情報記憶装置の基本形態は、
基板と、
前記基板上で周回状に並び互いに所定の周回角度ずつの角度間隔を空けた、磁気的に情報が記録される複数の第１の記録ドットと、
前記第１の記録ドットの周回に沿って周回状に並び、互いに、前記周回角度とは異なる周回角度ずつの角度間隔を空けた、磁気的に情報が記録される複数の第２の記録ドットと、
前記第１の記録ドットの周回と前記第２の記録ドットの周回との間に挟まれてそれらの周回に沿って所定の幅を有して周回状に並び、互いの角度間隔が、該第１の記録ドットおよび該第２の記録ドットの一方における角度間隔と同じ角度間隔となっている、読取専用の情報を表したビット列とを備えた情報記憶媒体；
前記第１の記録ドット、前記第２の記録ドット、および前記ビット列それぞれの並びに沿って相対的に移動しながら、該第１の記録ドットおよび該第２の記録ドットに記録された情報と該ビット列が表した情報とを再生する再生ヘッド；および
前記第１の記録ドットおよび前記第２の記録ドットそれぞれの並びに沿って相対的に、前記再生ヘッドの移動経路とは前記所定幅以上の距離を置いた移動経路を移動しながら、該第１の記録ドットおよび該第２の記録ドットに情報を記録する記録ヘッド；
を備えている。
【００３３】
記録ヘッドは、再生ヘッドの移動経路とは前記所定幅以上の距離を置いた移動経路を移動するため、角度間隔が互いに異なる第１の記録ドットの周回と第２の記録ドットの周回との間には、記録ヘッドによる記録が行えない領域が生じるが、この領域に読取専用の情報を表したビット列を配置することで媒体上の領域が有効に活用される。
【００３４】
なお、情報記憶装置については、ここではその基本形態のみを示すのに留めるが、これは単に重複を避けるためであり、情報記憶装置には、上記の基本形態のみではなく、前述した情報記憶媒体の各応用形態に対応する各種の応用形態が含まれる。
【発明の効果】
【００３５】
以上説明したように、情報記録媒体および情報記憶装置の上記基本形態によれば媒体上における領域が有効に活用される。
【発明を実施するための最良の形態】
【００３６】
基本形態および応用形態について上記説明した情報記録媒体および情報記憶装置に対する具体的な実施形態を、以下図面を参照して説明する。
【００３７】
図７は、情報記憶装置の具体的な第１実施形態であるＨＤＤの概略構成を示すブロック図である。
【００３８】
図７に示すＨＤＤ１００は、磁気ディスク１１０、磁気ディスク１１０を回転駆動するスピンドルモータ１２０、磁気ディスク１１０に対する情報の読み書きを行う磁気ヘッド１３０、磁気ヘッド１３０を磁気ディスクに沿って移動するアーム１３３、アーム１３３を回転駆動するアーム駆動部１３４、および、電子回路部１４０を備えている。磁気ディスク１１０は、上述した基本形態における情報記録媒体の一例に相当する。磁気ヘッド１３０は、記録用のリードヘッド１３１と再生用のライトヘッド１３２を備えており、リードヘッド１３１とライトヘッド１３２とは間隔を置いて配置されている。リードヘッド１３１が上述した基本形態における再生ヘッドの一例に相当し、ライトヘッド１３２が上述した基本形態における記録ヘッドの一例に相当する。
【００３９】
図８は、図７に示すＨＤＤの磁気ディスクの一部を示す図である。
【００４０】
図８に示す磁気ディスク１１０はパターンドメディア方式の磁気ディスクであり、基板Ｓと、基板Ｓ上に並べられた複数の記録ドットＱを有する基本的な構造は、図１を参照して説明した構造と同様である。また、この図８に示す磁気ディスク１１０では、円周上に並んだ記録ドットの列によってトラックＴが形成されている点や、各トラックは、サーボパターンが配置されたサーボ領域１１６によって区切られている点や、磁気ディスク１１０上の領域が径方向に複数のゾーンに区分されている点が図６に示す磁気ディスクと同じである。ここで径方向とは、磁気ディスク１１０上のある点において、磁気ディスク１１０の中心に向かう方向である。図８には、磁気ディスク１１０のうち、Ｎ番目のゾーンとＮ＋１番目のゾーンの一部が示されている。
【００４１】
磁気ディスク１１０のＮ番目のゾーンには、記録ドット１１１が同心円状の複数のトラックＴｘ，Ｔｘ＋１，Ｔｘ＋２，Ｔｘ＋３のそれぞれに沿って周回状に並んでいる。ゾーンＮの記録ドット１１１は、互いに等しい周回角度λ１ずつの角度間隔を空けて配置されている。記録ドット１１１が周回状に配列したトラックＴｘ，Ｔｘ＋１，Ｔｘ＋２，Ｔｘ＋３の周回途上には、プリアンブル１１３が配置されている。プリアンブル１１３は、トラックＴｘ，Ｔｘ＋１，Ｔｘ＋２，Ｔｘ＋３に沿った方向（いわゆる周方向）における記録ドット１１１の角度間隔と１：１の整数比を有する周回角度、すなわち周回角度λ１ずつの角度間隔で記録された磁気パターンである。
【００４２】
Ｎ番目のゾーンよりも内側のＮ＋１番目のゾーンには、同心円状の複数のトラックＴｙ，Ｔｙ＋１，…に沿って記録ドット１１２が並んでいる。Ｎ＋１番目のゾーンにおける記録ドット１１２は、互いに、第１の周回角度λ１よりも大きい第２の周回角度λ２ずつの角度間隔を空けて配置されている。記録ドット１１２の配列の周回であるトラックＴｙ，Ｔｙ＋１，…のそれぞれの途上には、プリアンブル１１４が配置されている。プリアンブル１１４は、トラックＴｙ，Ｔｙ＋１，…に沿った周方向における記録ドット１１２の角度間隔と１：１の整数比を有する周回角度、すなわち第２の周回角度λ２ずつの角度間隔で記録された磁気パターンである。
【００４３】
ここで、Ｎ番目のゾーンに配置された記録ドット１１１のうちいずれかのトラックに配置された記録ドット１１１は、上述した基本形態における第１の記録ドット部の一例に相当し、Ｎ＋１番目のゾーンに配置された記録ドット１１２のうちいずれかのトラックに配置された記録ドット１１２は、上述した基本形態における第２の記録ドット部の一例に相当し、ピッチテストパターン１１５は上述した基本形態におけるビット列の一例に相当する。また、Ｎ番目のゾーンのプリアンブル１１３は、上述した応用形態における第１の磁気パターンの一例に相当し、Ｎ＋１番目のゾーンのプリアンブル１１４は、上述した応用形態における第２の磁気パターンの一例に相当する。
【００４４】
Ｎ番目のゾーンとＮ＋１番目のゾーンとの間に挟まれ、トラックＴｘ＋３とトラックＴｙに沿って周回状に全周に亘ってピッチテストパターン１１５が並んでいる。
【００４５】
ピッチテストパターン１１５は、読取専用の情報を表す磁気パターンである。ピッチテストパターン１１５は、記録ドット１１２の角度間隔と同じく、第２の周回角度λ２ずつの角度間隔で並んだビット１１５ｂからなり、各ビット１１５ｂは、磁気ディスク１１０の周方向の位置に配された目盛りを表している。各ビット１１５ｂは磁性体材料で構成され予めＨＤＤ１００の製造段階で磁化されている。
【００４６】
また、ピッチテストパターン１１５は、リードヘッド１３１の移動経路とライトヘッド１３２の移動経路との間隔以下の幅で配置されている。ライトヘッド１３２が相対的に移動する移動経路と、リードヘッド１３１が相対的に移動する移動経路との間隔は実際には数十トラック分に及ぶが、図８では、見易さのため、ライトヘッド１３２が磁気ディスク１１０に対し相対的に移動するトラックと、リードヘッド１３１が相対的に移動するトラックとの間隔が３トラック分に簡略化され、ピッチテストパターン１１５の幅が２トラック分に簡略化して示されている。
【００４７】
ここで再び図７に戻ってＨＤＤ１００の電子回路部１４０について説明する。
【００４８】
電子回路部１４０は、リードヘッド１３１から出力される信号を増幅するリードアンプ１４１、ライトヘッド１３２に供給する信号を増幅するライトアンプ１４２、リードアンプ１４１から供給された信号を処理して外部の図示しないホストコンピュータに情報を出力するとともにホストコンピュータから供給される情報に応じた信号をライトアンプ１４２に供給するホストＩＦ１４３、リードアンプ１４１から供給された信号について、プリアンブルの信号が読み出された期間を表すゲートタイミング信号を生成するゲート生成回路１４４、リードアンプ１４１を介してリードヘッド１３１から得られる信号に同期したライトクロックを生成するＰＬＬ回路１５０、書き込みデータをライトクロックに同期してライトアンプに供給するタイミング制御部１４６、および、磁気ディスクの回転ムラを学習する回転ムラ学習回路１６０を備えている。
【００４９】
ＰＬＬ回路１５０は、リードヘッド１３１からプリアンブルの信号が得られる場合にはプリアンブルの信号に同期したライトクロックを生成するとともに、生成したライトクロックを次のプリアンブルまで供給し、リードヘッド１３１からテストパターンの信号が得られる場合には、テストパターンの信号に同期したライトクロックを生成する。ＰＬＬ回路１５０は、ライトクロックを生成するＶＣＯ（Ｖｏｌｔａｇｅ  Ｃｏｎｔｒｏｌｌｅｄ  Ｏｓｃｉｌｌａｔｏｒ）１５３、ライトクロックの分周器１５４、分周されたライトクロックとリードアンプ１４１から供給された信号の位相を比較する比較器１５１、ゲート生成回路１４４からのゲートタイミング信号に応じて比較器１５１の出力信号をサンプルおよび保持するサンプルホルダ回路１５２、および、サンプルホルダ回路１５２の出力にオフセットを加算する加算器１５５を備えている。
【００５０】
回転ムラ学習回路１６０は、ＰＬＬ回路１５０がテストパターンの信号に同期したライトクロックを生成する場合には、ライトクロックの周波数を表す電圧を、磁気ディスク１１０の回転ムラを表す信号として記憶し、ＰＬＬ回路１５０がプリアンブルに同期したライトクロックを生成する場合には、記憶した電圧をＰＬＬ回路１５０に供給してライトクロックの周波数を調整する。回転ムラ学習回路１６０は、ライトクロックの周波数を表す電圧である比較器１５１の出力信号をデジタル値に変換するＡ／Ｄコンバータ１６１、Ａ／Ｄコンバータ１６１の出力値を記憶するメモリ１６２、メモリ１６２から読み出したデジタル値をアナログ値に変換するＤ／Ａコンバータ１６３を備えている。
【００５１】
また、電子回路部１４０には、各駆動部のドライバ、サーボ回路、装置全体を制御する制御部も備えられているが、説明および図示は省略する。
【００５２】
磁気ディスクの回転には回転ムラが生じており、回転ムラには磁気ディスクの１回転ごとに周期的に繰り返す成分が含まれている。図７に示すＨＤＤ１００では、磁気ディスク１１０のテストパターンから情報を読み出すことで１回転内での回転ムラの分布を学習し、記録ドット１１１，１１２への書き込みの際には、学習した回転ムラの分布に応じたフィードフォワード制御によってライトクロックを調整し、回転ムラの影響を低減している。
【００５３】
ＨＤＤ１００の動作を説明する。まず、磁気ディスク１１０がスピンドルモータ１２０によって駆動され回転し、アーム１３３がアーム駆動部１３４によって回転駆動され、リードヘッド１３１が、ピッチテストパターン１１５が配置されたトラックＴｚ上に位置づけられる。リードヘッド１３１は、トラックＴｚに沿ってピッチテストパターン１１５上を相対移動しながら、ピッチテストパターン１１５の情報を読み出す。
【００５４】
リードヘッド１３１が読み出したピッチテストパターン１１５の信号は、リードアンプ１４１を介してＰＬＬ回路１５０に入力される。ＰＬＬ回路１５０は、テストパターンの信号と、ＶＣＯ１５３で発生するライトクロックを１／Ｎ分周した信号とを比較器１５１で比較し、比較結果の電圧をＶＣＯ１５３にフィードバックする。なお、このときＰＬＬ回路１５０のサンプルホルダ回路１５２および加算器１５５は、比較器１５１の比較結果の電圧値をそのまま通過させる。これにより、リードヘッド１３１がピッチテストパターン１１５を通過するタイミングに同期したライトクロックが生成される。このとき、ＰＬＬ回路１５０内の比較器１５１が出力する電圧値の変動は、回転ムラに起因するテストパターンの信号の周波数変動を表している。Ａ／Ｄコンバータ１６１は、比較器１５１が出力する電圧値をデジタル値に変換してメモリ１６２に記憶させる。メモリ１６２には、比較器１５１の電圧値が磁気ディスクの１回転分すなわちテストパターンの１周分に亘り、磁気ディスクの回転角に対応付けて記憶される。メモリ１６２に記憶された電圧値は、記録ドット１１１，１１２の書き込み時に利用される。
【００５５】
通常の書き込みでは、アーム１３３の回転によってライトヘッド１３２が目標となるトラック、例えば図８に示すトラックとしては最外周のトラックＴｘに位置づけられる。このとき、リードヘッド１３１は、ライトヘッド１３２の移動経路にある最外周のトラックＴｘから距離Ｇだけ離れた移動経路にある、最外周のトラックＴｘから数えて４番目のトラックＴｘ＋３付近を移動することとなる。ライトヘッド１３２が最外周のトラックＴｘ上の目標となるセクタに到達し、リードヘッド１３１がプリアンブル１１３に到達すると、まずリードヘッド１３１が、プリアンブル１１３の情報を読み出す。
【００５６】
リードヘッド１３１が読み出したプリアンブル１１３の信号は、リードアンプ１４１を介してＰＬＬ回路１５０およびゲート生成回路１４４に供給される。ＰＬＬ回路１５０は、プリアンブル１１３の信号と、ライトクロックを１／Ｎ分周した信号とを比較器１５１で比較し、比較結果の電圧をＶＣＯ１５３にフィードバックする。ＶＣＯ１５３は、比較結果の電圧に応じた周波数のライトクロックを出力する。この一方で、ゲート生成回路１４４は、プリアンブル１１３の信号が読み出された期間を表すゲートタイミング信号を出力する。したがって、サンプルホルダ回路１５２はゲートタイミング信号に応じて比較器１５１による比較結果の電圧値をそのまま通過させる（サンプル状態）。
【００５７】
次に、リードヘッド１３１がプリアンブル１１３を通過すると、ゲート生成回路１４４は、ゲートタイミング信号の出力を停止し、サンプルホルダ回路１５２が直前の電圧値を維持する（ホールド状態）。これによって、リードヘッド１３１がプリアンブル１１３を通過した後もライトクロックの周波数が維持される。タイミング制御部１４６は、ＰＬＬ回路１５０のライトクロックに同期して書き込みデータをライトアンプ１４２に供給する。ライトヘッド１３２は、ライトアンプ１４２から供給された信号に応じて、最外周のトラックＴｘの記録ドット１１１に情報を記録する。
【００５８】
ここで、リードヘッド１３１がプリアンブル１１３を通過した後は、比較器１５１の出力がサンプルホルダ回路１５２によって固定される。仮に、これに合わせてライトクロックの周波数が固定される場合、磁気ディスク１１０の回転に含まれる回転ムラによって、リードヘッド１３１が記録ドット１１１を通過するタイミングと、ライトクロックの間にずれが生じる。この結果、図３で説明したように、情報が記録ドット１１１に正常に記録できなくなるおそれがある。
【００５９】
図７に示すＨＤＤ１００では、Ｄ／Ａコンバータ１６３が、磁気ディスク１１０の回転角度に応じた電圧値をメモリ１６２から読み出しアナログ値に変換する。そして、加算器１５５がＤ／Ａコンバータ１６３の出力値をサンプルホルダ回路１５２の出力値にオフセットとして加算する。
【００６０】
このようにして、リードヘッド１３１がプリアンブル１１３を通過した後は、ライトクロックの周波数が、ピッチテストパターン１１５を使って学習された回転ムラの情報に応じてフィードフォワード制御により調整される。
【００６１】
図８に示す磁気ディスク１１０では、Ｎ番目のゾーン内の４番目のトラックＴｘ＋３と、Ｎ＋１番目のゾーン内の最外周のトラックＴｙとの間にある書込み不能領域が、ＨＤＤ１００に回転ムラを学習させるためのピッチテストパターン１１５に活用されている。
【００６２】
次に、情報記録媒体および情報記憶装置の具体的な第２実施形態について説明する。以下の第２実施形態の説明にあたっては、これまで説明してきた実施形態における各要素と同一の要素には同一の符号を付けて示し、前述の実施形態との相違点について説明する
図９は、情報記憶装置の具体的な第２実施形態であるＨＤＤの概略構成を示すブロック図であり、図１０は、図９に示す磁気ディスクの一部を示す図である。図９では、図７で省略したサーボ回路２７０が示されており、図７で示したＰＬＬ回路およびホストＩＦが省略されている。また、図９に示すＨＤＤ２００は、更に、磁気ディスク２１０におけるトラック位置の径方向変位を学習するトラック変位学習回路２８０を備えている。
【００６３】
図１０に示す磁気ディスク２１０は、ビット列としてのピッチテストパターン１１５（図８）の代わりに、サーボテストパターン２１５が配置されている点が、図８に示した第１実施形態における磁気ディスク１１０と異なり、他の点は、図８の磁気ディスク１１０と同様である。サーボテストパターン２１５は、ピッチテストパターン１１５（図８）の場合と同様に、Ｎ番目のゾーンとＮ＋１番目のゾーンとの間に全周に亘って配置されている。サーボテストパターン２１５のビット２１５ａ，２１５ｂはＮ＋１番目のゾーンの最外周のトラックＴｚに沿って千鳥状に交互に配置されている。一方のビット２１５ａは磁気ディスクの内側にずれ、他方のビット２１５ｂは外側にずれている。ビット２１５ａ，２１５ｂのそれぞれは、記録ドット１１１，１１２と同様の磁性体材料からなり、予めＨＤＤ２００の製造段階で互いに等しい程度に磁化されている。サーボテストパターン２１５の一方のビット２１５ａと他方のビット２１５ｂとの間を通るトラックＴｚは、Ｎ番目のゾーンおよびＮ＋１番目のゾーンに配置された記録ドット１１１，１１２の周回の基準となる軌道を表している。より詳細には、サーボテストパターン２１５が配列したＮ＋１番目のゾーンの最外周のトラックＴｚは、その他のトラックＴｘ，Ｔｘ＋１，Ｔｘ＋２，Ｔｘ＋３，Ｔｙ，Ｔｙ＋１，…と同心円上に配置されている。
【００６４】
ここで再び図９に戻ってＨＤＤ２００のサーボ回路２７０およびトラック変位学習回路２８０について説明する。
【００６５】
サーボ回路２７０は、リードヘッド１３１から得られる信号がサーボ領域１１６のサーボパターンの信号の場合には、サーボパターンの信号に含まれたトラック番号の情報および目標トラックからのずれを検知し、アーム駆動部１３４を制御して、リードヘッド１３１およびライトヘッド１３２の位置を目標のトラック上に追従させる。サーボ回路２７０は、サーボ領域１１６の信号が読み出された期間を表すゲートタイミング信号を生成するゲート生成回路２７１、リードヘッド１３１から得られる信号からサーボパターンまたはサーボテストパターン２１５の信号を復調することによって、サーボエラー信号すなわちリードヘッド１３１のトラックからの径方向のずれを表す信号を出力するサーボエラー復調回路２７２、サーボエラー復調回路２７２から出力されたサーボエラー信号を、ゲート生成回路２７１からのゲートタイミング信号に応じてサンプルおよび保持するサンプルホルダ回路２７３、サンプルホルダ回路２７３の出力にオフセットを加算する加算器２７４、および、加算器２７４の出力に応じてアーム駆動部１３４を駆動する駆動回路２７５を備えている。
【００６６】
例えば、リードヘッド１３１がサーボテストパターン２１５の情報を読み出す場合、トラックＴｚのうねりによって、リードヘッド１３１が相対的にトラックＴｚ中央より外側にずれると、外側にずれて配置されたビット２１５ｂに対する信号振幅が、内側にずれて配置されたビット２１５ａに対する信号振幅よりも大きくなる。この場合、サーボエラー復調回路２７２は、サーボテストパターン２１５の２種類のビット２１５ａ，２１５ｂの信号振幅から、リードヘッド１３１が相対的にトラックＴｚ中央より外側にずれたことを表す電圧をサーボエラー信号として出力する。リードヘッド１３１が内側にずれた場合も、そのことを表す電圧がサーボエラー信号として出力される。
【００６７】
トラック変位学習回路２８０は、サーボ回路２７０がサーボテストパターン２１５に応じてサーボエラー信号を生成する場合には、サーボエラー信号の電圧を、磁気ディスク１１０におけるトラック位置の径方向変位を表す信号として学習し、サーボ回路２７０がサーボ領域１１６のサーボパターンに応じてサーボエラー信号を生成する場合には、学習した電圧をサーボ回路２７０に供給して駆動回路２７５の出力電圧を調整する。トラック変位学習回路２８０は、サーボエラー信号の電圧をデジタル値に変換するＡ／Ｄコンバータ２８１、Ａ／Ｄコンバータ２８１の出力値を記憶するメモリ２８２、メモリ２８２から読み出したデジタル値をアナログ値に変換するＤ／Ａコンバータ２８３を備えている。
【００６８】
一般に磁気ディスクのトラックは、製造時の誤差が原因で、厳密には回転中心に対して偏心して配置されており、磁気ディスクを回転させた場合に、１周ごとに繰り返すうねりを有している。１周分のうねりは各トラックにほぼ共通である。図９に示すＨＤＤ２００では、磁気ディスク２１０のサーボテストパターン２１５を用いることで１回転内でのトラックのうねりの分布を学習し、学習したトラックのうねりの分布に応じたフィードフォワード制御によってアーム駆動部１３４の駆動電圧を調整し、トラックのうねりの影響を低減している。
【００６９】
従来の磁気ディスクでは、記録ドットの配置を高密度化するに従い、リードヘッドおよびライトヘッドのトラックに対する位置の制御をより精密に行うため、サーボ領域の数を増加させる必要がある。このため、記録ドットの配置面積効率が低下してしまう。
【００７０】
図１０に示す磁気ディスク２１０では、トラックＴｚの全周に亘って配置されたサーボテストパターン２１５によってトラックのうねりを学習し、学習した結果に応じてリードヘッド２３１およびライトヘッド２３２の位置を補正するので、サーボ領域の数を減少させることができる。Ｎ番目のゾーン内のトラックＴｘ＋３と、Ｎ＋１番目のゾーン内のトラックＴｙとの間にある書込み不能領域が、サーボテストパターン２１５の配置領域として活用される。
【００７１】
次に、情報記録媒体および情報記憶装置の具体的な第３実施形態について説明する。以下の第３実施形態の説明にあたっては、これまで説明してきた実施形態における各要素と同一の要素には同一の符号を付けて示し、前述の実施形態との相違点について説明する
図１１は、情報記憶装置の具体的な第３実施形態であるＨＤＤの概略構成を示すブロック図であり、図１２は、図１１に示す磁気ディスクの一部を示す図である。
【００７２】
図１１に示すＨＤＤ３００は、回転ムラ学習回路１６０を備えていない点、およびホストＩＦ３４３に暗号化部３４３Ａを備えている点が、図７に示す第１実施形態のＨＤＤ１００と異なる。また、ＨＤＤ３００は、磁気ディスク３１０における記録ドットの配置が第１実施形態のＨＤＤ１００と異なる。第３実施形態のＨＤＤ３００におけるその他の点は第１実施形態のＨＤＤ１００と同様である。
【００７３】
ホストＩＦ３４３の暗号化部３４３Ａは、図示しない外部のホストコンピュータから受け取った情報を、所定の暗号鍵情報に基づいて暗号化し、暗号化された情報を磁気ディスク３１０に記録する。また、リードヘッド１３１およびリードアンプ１４１を介して磁気ディスク３１０から読み出された情報を上記の暗号鍵情報に基づいて複合（暗号解除）する。暗号鍵情報は、予め磁気ディスク３１０に記録されている。
【００７４】
図１２に示す磁気ディスク３１０は、ピッチテストパターン１１５（図８）の代わりに、暗号鍵パターン３１５が配置されている点が、図８に示した第１実施形態における磁気ディスク１１０と異なり、他の点は、図８の磁気ディスク１１０と同様である。暗号鍵パターン３１５は、ピッチテストパターン１１５（図８）の場合と同様に、Ｎ番目のゾーンの記録ドット１１１のうち最内周の記録ドットのトラックＴｘ＋３とＮ＋１番目のゾーンの記録ドット１１２のうち最外周の記録ドットのトラックＴｙとの間に全周に亘って配置されている。暗号鍵パターン３１５は、磁気ディスク３１０のトラックＴｘ，Ｔｘ＋１，Ｔｘ＋２，Ｔｘ＋３，Ｔｙ，Ｔｙ＋１，…の記録ドットに記録された情報の暗号鍵情報を表している。暗号鍵パターン３１５の各ビット３１５ｂは、記録ドット１１２の角度間隔と同じく、第２の周回角度λ２ずつの角度間隔で並んでいる。暗号鍵パターン３１５には、暗号化情報がＨＤＤ３００の製造時に例えばサーボライタ等により記録される。
【００７５】
図１１に示すＨＤＤ３００は、Ｎ番目のゾーン内のトラックＴｘ＋３と、Ｎ＋１番目のゾーン内のトラックＴｙとの間にある書込み不能領域が暗号鍵パターン３１５に活用される。また、暗号鍵パターン４１５は、書込み不能領域に配置されているので、不用意な書き込みや改ざんによって内容が変化する危険性が抑えられる。
【００７６】
次に、上記第３実施形態とは、磁気ディスクの暗号鍵パターンの配置が異なる変形例について説明する。以下の変形例は、図１２に示す磁気ディスクとは暗号鍵パターンの配置が異なり、他の要素は同一であるので、ＨＤＤの構成としては図１１を流用し、磁気ディスクのみ図示するとともに、前述の実施形態との相違点について説明する。
【００７７】
図１３は、変形例における磁気ディスクの一部を示す図である。
【００７８】
図１３に示す磁気ディスク４１０における暗号鍵パターン４１５は、磁性材料と非磁性材料の配列パターンで構成されている。より詳細には、記録ドット１１２の角度間隔と同じ第２の周回角度λ２ずつの角度間隔の位置にあるビット４１５ｂ，４１５ｎが磁性材料であるか非磁性材料であるかによってビット値が表現される。暗号鍵パターン４１５のうち図１３に示す例では、暗号鍵パターン４１５のうち実線で示すビット４１５ｂは記録ビット１１１，１１２と同様に磁性体材料で形成されており、一点鎖線で示すビット４１５ｎは非磁性体材料で形成されている。磁性材料からなるビット４１５ｂは、予めＨＤＤの製造時に互いに同じ向きに磁化されている。磁性材料であるか非磁性材料であるかに応じた磁気のパターンが読み出されることによって、暗号鍵パターン４１５の情報が読み出される。
【００７９】
図１３に示す磁気ディスク４１０は、万が一、情報の書き込み中にライトヘッドが暗号鍵パターン４１５のトラックＴｚ，Ｔｚ＋１に移動し、暗号鍵パターン４１５が書き換わってしまった場合でも、トラックＴｚ，Ｔｚ＋１を均一に磁化し直すことによって、製造時における情報が回復できる。
【００８０】
なお、上述した第３実施形態では、暗号鍵情報を表す暗号鍵パターンについて説明したが、更に別の変形例として、Ｎ番目のゾーンの記録ドット１１１のうち最内周の記録ドットのトラックＴｘ＋３とＮ＋１番目のゾーンの記録ドット１１２のうち最外周の記録ドットのトラックＴｙとの間には、暗号鍵パターンではなく、磁気ディスクの製造条件を表すパターンを配置したものであってもよい。磁気ディスクの製造条件としては、磁気ディスクを製造する際の原盤として使用されたマスタ原盤を識別するための識別コードや、故障の原因を調査するための製造履歴が含まれる。
【００８１】
また、具体的な各実施形態に対する上記説明では、「課題を解決するための手段」で説明した応用形態における磁気パターンの一例として、記録ドットの角度間隔と１：１の整数比を有する周回角度ずつの角度間隔で記録されたプリアンブルが示されているが、ここで磁気パターンは、記録ドットの角度間隔とは所定の整数比を有する角度間隔で記録されたものであればよく、例えば配列の角度間隔が、記録ドットの角度間隔に対し整数分の１であってもよい。
【００８２】
以下、上述した基本形態および応用形態を含む種々の形態に関し、更に以下の付記を開示する。
【００８３】
（付記１）
基板と、
前記基板上で周回状に並び互いに所定の周回角度ずつの角度間隔を空けた、磁気的に情報が記録される複数の第１の記録ドットと、
前記第１の記録ドットの周回に沿って該周回の内側あるいは外側で周回状に並び、互いに、前記周回角度とは異なる周回角度ずつの角度間隔を空けた、磁気的に情報が記録される複数の第２の記録ドットと、
前記第１の記録ドットの周回と前記第２の記録ドットの周回との間に挟まれてそれらの周回に沿って周回状にビットが並び、該ビットどうしの角度間隔が、該第１の記録ドットおよび該第２の記録ドットの一方における角度間隔と同じ角度間隔となっている、読取専用の情報を表したビット列とを備えたことを特徴とする情報記録媒体。
【００８４】
（付記２）
前記第１の記録ドットの配列の周回の途上に、該周回に沿う方向における該第１の記録ドットの角度間隔とは所定の整数比を有する角度間隔で記録された第１の磁気パターンと、
前記第２の記録ドットの配列の周回の途上に、該周回に沿う方向における該第２の記録ドットの角度間隔とは前記所定の整数比を有する角度間隔で記録された第２の磁気パターンとを更に備えたことを特徴とする付記１記載の情報記録媒体。
【００８５】
（付記３）
前記ビット列が磁性材料と非磁性材料の配列パターンで構成され、該磁性材料であるか該非磁性材料であるかによってビット値が表現されたものであることを特徴とする付記１または２記載の情報記録媒体。
【００８６】
（付記４）
前記ビット列の各ビットが前記基板の周回方向の位置に配された目盛りを表したものであることを特徴とする付記１から３いずれか１項記載の情報記録媒体。
【００８７】
（付記５）
前記ビット列が前記第１の記録ドットの周回軌道およびまたは前記第２の記録ドットの周回軌道の基準となる軌道を表したものであることを特徴とする付記１から４いずれか１項記載の情報記録媒体。
【００８８】
（付記６）
この情報記憶媒体は情報が暗号化されて記憶されるものであり、
前記ビット列がこの情報記憶媒体に記憶される情報の暗号鍵情報を表したものであることを特徴とする付記１から５いずれか１項記載の情報記録媒体。
【００８９】
（付記７）
前記ビット列がこの情報記憶媒体の製造条件を表したものであることを特徴とする付記１から６いずれか１項記載の情報記録媒体。
【００９０】
（付記８）
基板と、
前記基板上で周回状に並び互いに所定の周回角度ずつの角度間隔を空けた、磁気的に情報が記録される複数の第１の記録ドットと、
前記第１の記録ドットの周回に沿って周回状に並び、互いに、前記周回角度とは異なる周回角度ずつの角度間隔を空けた、磁気的に情報が記録される複数の第２の記録ドットと、
前記第１の記録ドットの周回と前記第２の記録ドットの周回との間に挟まれてそれらの周回に沿って所定の幅を有して周回状に並び、互いの角度間隔が、該第１の記録ドットおよび該第２の記録ドットの一方における角度間隔と同じ角度間隔となっている、読取専用の情報を表したビット列とを備えた情報記憶媒体；
前記第１の記録ドット、前記第２の記録ドット、および前記ビット列それぞれの並びに沿って相対的に移動しながら、該第１の記録ドットおよび該第２の記録ドットに記録された情報と該ビット列が表した情報とを再生する再生ヘッド；および
前記第１の記録ドットおよび前記第２の記録ドットそれぞれの並びに沿って相対的に、前記再生ヘッドの移動経路とは前記所定幅以上の距離を置いた移動経路を移動しながら、該第１の記録ドットおよび該第２の記録ドットに情報を記録する記録ヘッド；
を備えたことを特徴とする情報記憶装置。
【図面の簡単な説明】
【００９１】
【図１】パターンドメディア方式の磁気ディスクの構造を模式的に示す斜視図である。
【図２】磁気ディスクにおける各領域の一般的な配置を示す図である。
【図３】パターンドメディア方式の磁気ディスクの記録ドットとライトクロックとの関係を説明する図である。
【図４】ライトプリアンブルが設けられたパターンドメディア方式の磁気ディスクの一部を示す図である。
【図５】図４の磁気ディスクを備えたハードディスク装置（ＨＤＤ）のブロック図である。
【図６】図４に示す磁気ディスクの一部をリードヘッドおよびライトヘッドとともに示す図である。
【図７】情報記憶装置の具体的な第１実施形態であるＨＤＤの概略構成を示すブロック図である。
【図８】図７に示すＨＤＤの磁気ディスクの一部を示す図である。
【図９】情報記憶装置の具体的な第２実施形態であるＨＤＤの概略構成を示すブロック図である。
【図１０】図９に示す磁気ディスクの一部を示す図である。
【図１１】情報記憶装置の具体的な第３実施形態であるＨＤＤの概略構成を示すブロック図である。
【図１２】図１１に示す磁気ディスクの一部を示す図である。
【図１３】変形例における磁気ディスクの一部を示す図である。
【符号の説明】
【００９２】
１００，２００，３００    ＨＤＤ
１１０，２１０，３１０，４１０    磁気ディスク
１１１    記録ドット（第１の記録ドット）
１１２    記録ドット（第２の記録ドット）
１１３    プリアンブル（第１の磁気パターン）
１１４    プリアンブル（第２の磁気パターン）
１１５    ピッチテストパターン（ビット列）
１３１    リードヘッド（再生ヘッド）
１３２    ライトヘッド（記録ヘッド）
２１５    サーボテストパターン（ビット列）
３１５，４１５    暗号鍵パターン（ビット列）
【図１】
2009223962.tif 000003
【図２】
2009223962.tif 000004
【図３】
2009223962.tif 000005
【図４】
2009223962.tif 000006
【図５】
2009223962.tif 000007
【図６】
2009223962.tif 000008
【図７】
2009223962.tif 000009
【図８】
2009223962.tif 000010
【図９】
2009223962.tif 000011
【図１０】
2009223962.tif 000012
【図１１】
2009223962.tif 000013
【図１２】
2009223962.tif 000014
【図１３】
2009223962.tif 000015